(57)【要約】【課題】音の大きさ（ラウドネス）に関する統計値の時間推移を表示することができる音量監視装置及びプログラムを提供する。【解決手段】瞬時ラウドネス値を算出するラウドネス処理部と、算出した前記瞬時ラウドネス値を保存する瞬時ラウドネス記憶装置と、統計処理区間毎に前記瞬時ラウドネス値の統計値を算出する統計処理部と、前記統計値を保存する統計値記憶装置と、前記統計値を描画するための表示信号を作成する表示処理部と備え、統計処理区間毎のラウドネス瞬時値の頻度や各種統計値を表示する。【選択図】図１
2016109620.tif 000002
【特許請求の範囲】
【請求項１】
音響信号から一定区間を切り出し、瞬時ラウドネス値を算出する処理を一定時間毎に行うラウドネス処理部と、
前記ラウドネス処理部が算出した前記瞬時ラウドネス値を保存する瞬時ラウドネス記憶装置と、
統計処理区間毎に、当該統計処理区間における前記瞬時ラウドネス値の統計値を算出する統計処理部と、
前記統計処理部が算出した前記統計値を保存する統計値記憶装置と、
複数の統計処理区間の前記統計値をそれぞれ設定した表示ブロック幅に描画するための表示信号を作成する表示処理部と
を備えることを特徴とする音量監視装置。
【請求項２】
請求項１に記載の音量監視装置であって、さらに、前記表示信号により前記統計値を描画する表示画面を備えていることを特徴とする音量監視装置。
【請求項３】
請求項１又は２に記載の音量監視装置であって、前記統計値として、少なくとも平均値、頻度、標準偏差、中央値、四分位範囲のいずれかを表示することを特徴とする音量監視装置。
【請求項４】
請求項１から３のいずれか一項に記載の音量監視装置であって、前記瞬時ラウドネス記憶装置には、最小統計区間毎に前記瞬時ラウドネス値又は前記瞬時ラウドネス値の分布を保存しておくことを特徴とする音量監視装置。
【請求項５】
請求項１から４のいずれか一項に記載の音量監視装置であって、前記統計処理区間及び前記表示ブロック幅の少なくとも一方の変更手段を備えることを特徴とする音量監視装置。
【請求項６】
請求項１から５のいずれか一項に記載の音量監視装置であって、経過時間に応じて前記統計処理区間又は前記表示ブロック幅を変化させることを特徴とする音量監視装置。
【請求項７】
請求項２から５のいずれか一項に記載の音量監視装置であって、前記表示画面の端まで統計値が表示された際に、前記統計処理区間又は前記表示ブロック幅を変化させることを特徴とする音量監視装置。
【請求項８】
請求項１から５のいずれか一項に記載の音量監視装置であって、経過時間と前記表示ブロック幅に応じて前記統計処理区間を変化させることを特徴とする音量監視装置。
【請求項９】
請求項１から８のいずれか一項に記載の音量監視装置であって、前記統計処理区間が変更されたときに、前記瞬時ラウドネス記憶装置を参照し、前記統計値を再計算することを特徴とする音量監視装置。
【請求項１０】
コンピュータを、請求項１から９のいずれか一項に記載の音量監視装置として機能させるためのプログラム。
【発明の詳細な説明】
【技術分野】
【０００１】
本発明は、番組の音の大きさを測定する音量監視装置及びプログラムに関し、特に、音の大きさ（ラウドネス）に関する統計値の時間推移を表示することができる音量監視装置及びプログラムに関するものである。
【背景技術】
【０００２】
従来、放送番組等の音声（音響）レベルの大きさを測定する音量監視装置は、例えばピークメータ、ＶＵメータ等により、瞬間的な音声信号に対応する数値を表示してきた。しかし、これら従来の音量監視装置が提供する音の瞬間的な値のみの表示から、番組全体を通した音の大きさの時間推移を把握することは難しい。
【０００３】
近年、ラウドネスという音の大きさに関する規格が勧告ITU-R BS.1770にて定められた［非特許文献１］。このラウドネスの測定アルゴリズムは、まず、各チャンネル（レフトＬ，ライトＲ，センタＣ，レフトサラウンドＬｓ，ライトサラウンドＲｓ）の入力信号に対してＫ特性フィルタと呼ばれる聴覚特性を考慮したプリフィルタを適用する処理を行い、その処理後の信号を二乗平均した値zに、個々のチャンネルごとの重み係数Ｇを乗じ、デシベルスケールに変換することにより、次式によりラウドネス値ＬK（単位はＬＫＦＳ）が求められる。
【０００４】
【数１】
2016109620.tif 000003
【０００５】
このラウドネス値ＬKによれば、人の聴感特性に近い音量の測定が可能である。さらに、ゲーティング処理を行って平均ラウドネス値を求めることも行われる。現在、この勧告ITU-R BS.1770に準拠したアルゴリズムを使用し、デジタル音響信号の音の大きさのレベルを測定するラウドネスメータが製品化されている。
【０００６】
デジタルテレビ放送番組においては、番組全体の平均ラウドネス値は、ターゲットラウドネス値から一定の許容範囲内に収まるように制作しなければならないという運用規定がある。例えば、ARIB TR-B32［非特許文献２］には、番組のターゲットラウドネス値は−２４LKFSとすること、番組の平均ラウドネス値の、運用上の許容範囲は、ターゲットラウドネス値±１dBとすることが規定されている。このような番組の音声信号の管理に、上記のラウドネスメータが利用されている。
【先行技術文献】
【非特許文献】
【０００７】
【非特許文献１】Recommendation ITU-R BS.1770-3; "Algorithms to measure audio programme loudness and true-peak audio level".  Radiocommunication Sector of ITU、2012年8月
【非特許文献２】ARIB TR-B32；「デジタルテレビ放送番組におけるラウドネス運用規定」、一般社団法人電波産業会、平成23年3月28日策定
【発明の概要】
【発明が解決しようとする課題】
【０００８】
ラウドネスメータで表示する平均ラウドネス値は測定時間により時間平均したラウドネス値であるので、番組尺によって時間平均を行う分母が異なり、音量調整を同様に行ったとしても、長時間番組になると番組前半と番組後半では瞬間的なラウドネス値が測定途中の平均ラウドネス値に与える影響が異なる。よって平均ラウドネス値の表示だけでは、番組前半と後半の音の大きさを比較することが難しい。
【０００９】
したがって、番組の音の大きさの傾向を前半と後半で比較したい場合、番組尺に左右されずに比較できる表示方法が必要である。
【００１０】
上記のような問題点に鑑みてなされた本発明の目的は、音の大きさ（ラウドネス）に関する統計値の時間推移を表示することができる音量監視装置及びプログラムを提供することにある。
【課題を解決するための手段】
【００１１】
上記課題を解決するために本発明に係る音量監視装置は、音響信号から一定区間を切り出し、瞬時ラウドネス値を算出する処理を一定時間毎に行うラウドネス処理部と、前記ラウドネス処理部が算出した前記瞬時ラウドネス値を保存する瞬時ラウドネス記憶装置と、統計処理区間毎に、当該統計処理区間における前記瞬時ラウドネス値の統計値を算出する統計処理部と、前記統計処理部が算出した前記統計値を保存する統計値記憶装置と、複数の統計処理区間の前記統計値をそれぞれ設定した表示ブロック幅に描画するための表示信号を作成する表示処理部とを備えることを特徴とする。
【００１２】
また、前記音量監視装置は、前記表示信号により前記統計値を描画する表示画面を備えていることが望ましい。
【００１３】
また、前記音量監視装置は、統計値として、少なくとも平均値、頻度、標準偏差、中央値、四分位範囲のいずれかを表示することが望ましい。
【００１４】
また、前記音量監視装置は、前記瞬時ラウドネス記憶装置には、最小統計区間毎に前記瞬時ラウドネス値又は前記瞬時ラウドネス値の分布を保存しておくことが望ましい。
【００１５】
また、前記音量監視装置は、前記統計処理区間及び前記表示ブロック幅の少なくとも一方の変更手段を備えることが望ましい。
【００１６】
また、前記音量監視装置は、経過時間に応じて前記統計処理区間又は前記表示ブロック幅を変化させることが望ましい。
【００１７】
また、前記音量監視装置は、前記表示画面の端まで統計値が表示された際に、前記統計処理区間又は前記表示ブロック幅を変化させることが望ましい。
【００１８】
また、前記音量監視装置は、経過時間と前記表示ブロック幅に応じて前記統計処理区間を変化させることが望ましい。
【００１９】
また、前記音量監視装置は、前記統計処理区間が変更されたときに、前記瞬時ラウドネス記憶装置を参照し、前記統計値を再計算することが望ましい。
【００２０】
また、上記課題を解決するため、本発明に係るプログラムは、コンピュータを、前記音量監視装置として機能させることを特徴とする。
【発明の効果】
【００２１】
本発明における音量監視装置及びプログラムによれば、番組尺または経過時間によって区間毎の番組ラウドネスに関連する統計値（瞬時ラウドネスの頻度や平均値等）を番組内での時刻によらず均一な条件で表示することで、番組の尺に関係なく番組前半と後半の音の大きさの傾向を比較することが可能となる。
【００２２】
また、本発明における音量監視装置及びプログラムによれば、番組全体の平均ラウドネス値を定められた範囲に収める必要のある番組制作時に、番組制作者が適正な区間毎の番組ラウドネスに関連する統計値の時間変化を容易に確認できるという効果があり、これまでより容易に番組の流れに沿った音声レベルの調整をすることが可能となる。
【図面の簡単な説明】
【００２３】
【図１】本発明の一実施形態のブロック図である。
【図２】ラウドネス処理部の処理手順を示すフローチャートの例である。
【図３】瞬時ラウドネス記憶装置の保存データの例である。
【図４】統計処理部の処理手順を示すフローチャートの例である。
【図５】表示処理部の処理手順を示すフローチャートの例である。
【図６】ラウドネス分布を表示する表示画面の具体例の図である。
【図７】各種統計値を表示する表示画面の具体例の図である。
【図８】音量監視装置の全体の処理手順を示すフローチャートの例である。
【図９】統計値の時間推移の表示方法のバリエーションを示す図である。
【発明を実施するための形態】
【００２４】
以下、本発明の実施の形態について図面により説明する。
【００２５】
図１は本発明の音量監視装置の一実施形態のブロック図である。図１において、音量監視装置１０は、ラウドネス処理部１００、瞬時ラウドネス記憶装置２００、統計処理部３００、統計値記憶装置４００、及び表示処理部５００から構成される。さらに、図１には、音量監視装置１０で作成された表示信号２０を表示する表示装置６００が示されている。この表示装置６００は、表示画面として、音量監視装置１０と一体化することも可能である。
【００２６】
本発明の音量監視装置１０は、音響信号からなる入力信号１１に対してラウドネス処理部１００で瞬時ラウドネス値を算出して瞬時ラウドネス記憶装置２００に保存し、統計処理部３００において設定された統計処理区間Ｔｓごとの統計処理を行って統計値記憶装置４００に保存し、表示処理部５００において設定された表示ブロック幅Ｗｊで統計値を表示装置６００に表示するための表示信号２０を作成する処理を行う。
【００２７】
ここで、入力信号１１は音声信号とは限らない。例えば番組制作者が動かしている音声フェーダーの調整値でもよい。また、統計処理区間Ｔｓ１２及び表示ブロック幅Ｗｊ１３は、外部より設定可能とすることができ、或いは、音量監視装置１０内に、条件に応じて統計処理区間Ｔｓ及び／又は表示ブロック幅Ｗｊを変更する自動調整部（図示せず）を設けることも可能である。
【００２８】
以下、各信号処理部の動作を、フローチャート等を用いて詳細に説明する。
【００２９】
初めに、ラウドネス処理部１００の処理について説明する。ラウドネス処理部１００は、入力信号１１をある一定区間で切り出し、瞬時ラウドネス値Ｌｔを算出し、瞬時ラウドネス記憶装置２００に出力して保存する処理を一定時間毎に行う。
【００３０】
図２は、ラウドネス処理部１００の処理を示すフローチャートの例である。
【００３１】
ここでは、勧告ITU-R BS.1770に基づき、入力信号を４００ｍｓで切り出し、瞬時ラウドネス値Ｌｔを算出する処理を１００ｍｓ毎に行うことにする。ただし、切り出し区間や処理間隔はこの数値に限定されるものではない。一定区間で切り出した信号はゲーティングブロックと呼ばれ、最初のゲーティングブロック（ｋ＝０）から順にゲーティングブロック数を示すカウンタｋを加算する。
【００３２】
初めにｋ＝０とする初期設定を行い（Ｓ１０１）、一定区間（例えば４００ｍｓ）で入力信号を切り出す（Ｓ１０２）。
【００３３】
次に、当該切り出し区間の瞬時ラウドネス値Ｌｔを算出する（Ｓ１０３）。瞬時ラウドネス値Ｌｔは、背景技術にて説明した勧告ITU-R BS.1770に準じた方法で求められる。
【００３４】
次いで、求めた瞬時ラウドネス値Ｌｔをある閾値（例えば、−７０ＬＫＦＳ）と比較する（Ｓ１０４）。閾値以上ならば、瞬時ラウドネス記憶装置２００に、その瞬時ラウドネス値Ｌｔのデータを出力して保存する（Ｓ１０５）。瞬時ラウドネス記憶装置２００への保存は、後述のとおり、瞬時ラウドネス値Ｌｔの各データをそのまま保存することも、ラウドネス分布配列表の形に加工して保存することもできる。その後、ラウドネス処理部１００は、カウンタｋを１つ加算する（Ｓ１０６）。なお、瞬時ラウドネス値が閾値未満である場合は、データ保存は行わないが、カウンタｋの加算は同様に行う。
【００３５】
次に、カウンタｋの値を最大値ｋMAXと比較する（Ｓ１０７）。ここでｋの最大値ｋMAXは、最小統計区間すなわち、統計処理を行う最小の時間単位に、ゲーティングブロックが幾つ含まれるかを意味する数値であり、例えば、最小統計区間を１分間とし、ゲーティングブロックを切り出すスライド幅（処理間隔）を１００ｍｓとすると、最小統計区間にゲーティングブロックの切り出しが６００回行われる。この６００がｋの最大値ｋMAXである。なお、最小統計区間（測定ブロックともいう。）は１分間に限られず、３０秒間でも、さらに長い時間でも自由に設定することができる。
【００３６】
カウンタ数ｋが最大値ｋMAXに達した場合、ラウドネス処理部内のカウンタｋを０にして、最小統計区間に達した回数（以下、測定ブロック数）ｂを１つ加算する（Ｓ１０８）。図２のフローチャートにおいて、ＥＮＤは１つの最小統計区間（測定ブロック）の処理が終了したことを意味し、次に統計処理部３００の処理に移る。カウンタ数ｋが最大値ｋMAXに満たない場合は、所定時間経過後に、次のゲーティングブロックの切り出し処理（Ｓ１０２）に戻る。
【００３７】
なお、説明の都合上、ここでは、図２のラウドネス処理部１００の最小統計区間の処理終了後に、統計処理部３００の処理を引き続き行うとしたが、図２の処理終了後に統計処理部３００に対して１つの最小統計区間（測定ブロック）の処理が終了したことの信号を送り、ラウドネス処理部１００は、図２のフローチャートの最初に戻って、一定時間毎に一連の動作を繰り返すように設計してよい。
【００３８】
次に、瞬時ラウドネス記憶装置２００について説明する。瞬時ラウドネス記憶装置２００は、随時の書き込み・読み取りが可能な、一般的な記憶装置（メモリ）を用いて実現することができる。
【００３９】
図３は、瞬時ラウドネス記憶装置２００のデータの保存形態の例である。図３（ａ）は、縦方向をラウドネス値の一定のレベル間隔で区切り、横方向に測定ブロックを順に配列した（すなわち最小統計区間で区切った）、ラウドネス分布配列表として保存する例である。配列表の１つの列は、ある測定ブロック（最小統計区間）において、ラウドネス処理部１００でｋ＝０からｋ＝ｋMAX−１までｋMAX回の処理を行った集計結果を示しており、瞬時ラウドネス値Ｌｔの分布を示す数値（カウンタ数）としてデータが格納される。この数値は、後に統計処理区間毎に集計することにより、ラウドネス値の「頻度」を表すグラフ表示の基礎データとなる。
【００４０】
図３（ａ）の場合、瞬時ラウドネス記憶装置２００は、ラウドネス処理部１００から、閾値を超える瞬時ラウドネス値Ｌｔが出力されると、処理中（更新中）の測定ブロックの該当するラウドネス値のレベルに、分布表の数値を１つ加算して保存する処理を行う。
【００４１】
図３（ｂ）は、縦方向を時間軸（例えば、ラウドネス処理部がゲーティングブロックを切り出した時刻）で区切り、横方向に測定ブロックを順に配列して、ラウドネス値の時系列表として保存する例である。なお、縦方向は、時刻に代えてラウドネス処理部１００で処理されたカウンタｋの値としてもよい。時系列表の１つの列は、ある最小統計区間における閾値を越えた瞬時ラウドネス値Ｌｔをそのままの値で保存している。
【００４２】
この場合、瞬時ラウドネス記憶装置２００は、ラウドネス処理部１００から、閾値を超える瞬時ラウドネス値Ｌｔが出力されると、処理中の測定ブロックの該当する時刻に瞬時ラウドネス値Ｌｔを順次格納していく。
【００４３】
次に、統計処理部３００の動作について説明する。統計処理部３００は、各統計処理区間Ｔｓにおいて瞬時ラウドネス値の統計処理を行い、その処理結果としての統計値を、統計値記憶装置４００に出力して保存する処理を行う。なお、ここで１つの統計処理区間は、統計値を画面表示する際に、１つの表示ブロックとして表示される単位となる。
【００４４】
図４は、統計処理部３００の処理を示すフローチャートの例である。図４の例では、統計処理部３００は、ラウドネス処理部１００のカウンタｋがｋMAXに達した場合、すなわち、１つの最小統計区間の処理が終了したときに、統計処理を行う。
【００４５】
まず、ラウドネス処理部１００が新たな１つの最小統計区間の処理を終了し、瞬時ラウドネス記憶装置２００へのデータ格納が完了したかを判定する（Ｓ３０１）。なお、統計処理部３００がラウドネス処理部の処理終了（ｋ＝ｋMAX）の信号を受けて動作を開始する場合には、このような判断ステップは不要である。新たな最小統計区間（測定ブロック）のラウドネス処理が終了した場合は、瞬時ラウドネス記憶装置２００を参照し、現在処理中の統計処理区間Ｔｓの最初の測定ブロック（ｂ＝０のブロック）から最も新しく格納された測定ブロック（ｂ−１番目のブロック）までのデータを読み出す（Ｓ３０２）。ラウドネス処理が終了していない場合は、所定時間待機後に上記の判定処理（Ｓ３０１）を繰り返す。なお、データ読み出しにあたり、統計処理部３００がｂ−２番目のブロックまでの統計値を一時的に保存している場合は、新しく格納された測定ブロック（ｂ−１番目のブロック）のみのデータを読み出せばよい。
【００４６】
次いで、当該統計処理区間のそれまでに蓄積された瞬時ラウドネス値Ｌｔのデータから、各種の統計値を算出する（Ｓ３０３）。なお、各種の統計値とは、平均値、頻度、標準偏差、中央値、四分位範囲等、番組のラウドネスの管理に有効な任意の統計値を含めることができる。ここでは、ラウドネス値のレベルごとの頻度（存在確率分布であってもよい。）等の統計データも、広義の統計値として取り扱う。
【００４７】
次に、得られた統計値を、統計値記憶装置４００に出力して保存する（Ｓ３０４）。個別の統計値のみならず、図３（ａ）において例示したラウドネス分布配列表を、横方向を統計処理区間単位（表示ブロック単位）で再集計し、ラウドネス値の頻度を示す統計データとして、統計値記憶装置４００に保存しても良い。統計値記憶装置４００は、例えば、統計処理区間Ｔｓを単位として統計値を格納するように構成されており、図４のフローでは、新たな最小統計区間（測定ブロック）の処理が終了するごとに、統計値記憶装置４００内の当該統計処理区間の統計値を上書きして更新していく。
【００４８】
後述する表示処理において、最小統計区間の処理が終了するごとに、画面上の表示データを更新する場合には、ここで、統計値記憶装置４００のデータ更新が終了した旨の信号（表示の更新指令）を、表示処理部５００に出力することができる（Ｓ３０５）。統計処理区間Ｔｓのデータが確定するごとに表示を行う場合は、この処理は不要である。
【００４９】
次に、測定ブロック数ｂの値を最大値ｂMAXと比較する（Ｓ３０６）。ｂの最大値ｂMAXは、統計処理区間Ｔｓに、最小統計区間（測定ブロック）が幾つ含まれるかを意味する数値であり、例えば、統計処理区間Ｔｓを１０分間とし、最小統計区間を１分間とすると、統計処理区間Ｔｓに最小統計区間（測定ブロック）が１０個含まれる。この１０がｂの最大値ｂMAXである。なお、統計処理区間Ｔｓは１０分間に限られず、５分間でも、さらに長い時間でも自由に設定することができる。また、統計処理区間Ｔｓは条件に基づいて自動的に変化させることもできる。
【００５０】
測定ブロックのカウンタ数ｂが最大値ｂMAXに達した場合、統計処理部内のカウンタｂを０にして、表示ブロック数ｊを１つ加算する（Ｓ３０７）。測定ブロック数ｂが最大値ｂMAXに達しない場合は、始めに戻り、所定時間待機後に前述の判定処理（Ｓ３０１）を繰り返す。
【００５１】
図４のフローチャートにおいて、ＥＮＤは１つの統計処理区間（表示ブロック）の処理が終了し、当該統計処理区間の統計データが確定したことを意味し、次に表示処理部５００の処理に移る。なお、表示処理部５００への処理の移行については、図４の処理終了後に表示処理部５００に対して表示の更新指令を送り、統計処理部３００は、図４のフローチャートの最初に戻って、所定時間待機後に前述の判定処理（Ｓ３０１）を繰り返すように設計してよい。
【００５２】
なお、図４のフローチャートにおいては、ラウドネス処理部１００が１つの最小統計区間の処理を終了するごとに統計処理を行ったが、１つの統計処理区間Ｔｓが終了するごとに、まとめて統計処理を行っても良い。この場合は、最初のＳ３０１の判断ステップが、Ｓ３０６で示されるｂ＝ｂMAXの判断ステップに置き換わることとなる。
【００５３】
１つの統計処理区間が終了するごとに統計処理を行うときは、統計処理区間途中のデータは表示画面において確認できないが、途中での最小統計区間毎の統計処理が削減される分だけ、ＣＰＵ等の処理負担が軽減される。
【００５４】
次に統計値記憶装置４００について説明する。統計値記憶装置４００は、瞬時ラウドネス記憶装置２００と同様に、随時の書き込み・読み取りが可能な、一般的な記憶装置（メモリ）を用いて実現することができる。なお、概念的には瞬時ラウドネス記憶装置２００と統計値記憶装置４００は異なる記憶装置であるが、実装の際は、一つの記憶装置を、瞬時ラウドネス記憶装置２００と統計値記憶装置４００で共用するように構成しても良い。
【００５５】
統計値記憶装置４００は、例えば、１つの統計処理区間Ｔｓに関する各種統計値を１ブロック（一列）に配列して、統計処理区間順に行方向に順次ブロックを配列する統計値配列表として、統計値を保存することが望ましい。このとき、統計値配列表の列番号ｊを、画面表示の際の表示ブロック番号ｊと対応させることができる。
【００５６】
次に、表示処理部５００の動作について説明する。表示処理部５００は、統計値等を表示装置（画面）６００に表示するための表示データ作成処理を行う。具体的には、統計値記憶装置４００を参照し、設定した表示フォーマットに合わせて、画面上のｊ番目の表示ブロックにｊ番目の統計値配列の統計値を表示する処理を行う。
【００５７】
図５は、表示処理部５００の処理を示すフローチャートの例である。表示処理部５００は、統計処理部３００或いは外部から表示の更新指令を受信すると、表示処理を開始する。なお、表示の更新指令のタイミングは、統計処理部３００が１つの最小統計区間の統計処理を終了したときでも、また、ある統計処理区間Ｔｓの統計処理を終了したときでも良く、その他、あらかじめ設定された一定時間毎に繰り返し実施するよう設定してもよい。
【００５８】
表示処理は、まず、画面上の表示フォーマットを変更する必要があるかを判断する（Ｓ５０１）。これは、例えば、新たな表示ブロックを表示する際に、現在設定されている表示ブロック幅Ｗｊと表示しようとする総ブロック数Ｎとの積が、表示画面の幅Ｗｄよりも大きくなる場合（Ｗｊ×Ｎ＞Ｗｄ）等、表示フォーマットの変更が必要となる各種条件に該当するかを、判断するステップである。この判断ステップ（Ｓ５０１）では、外部入力として表示ブロック幅Ｗｊの変更や統計処理区間Ｔｓの変更、表示フォーマットの変更指令を受けたことを判断しても良い。
【００５９】
そして、表示フォーマットの変更が不要な場合はそのまま処理を続行するが、画面上の表示フォーマットを変更する必要がある場合は、必要な表示フォーマットの変更処理を行う（Ｓ５０２）。この処理は、後述のとおり、例えば、表示する総ブロック数Ｎに応じて最適な表示ブロック幅Ｗｊを選択する処理であったり、それぞれの条件に応じて新たな表示フォーマットを再設定する処理である。また、統計処理区間Ｔｓの変更を伴う場合は、統計処理部３００の再計算処理とともに表示フォーマットを変更する。なお、この表示フォーマットの変更処理は、必ずしもこの段階で行う必要はなく、後の表示データを作成するステップ（Ｓ５０４）でまとめて処理を行っても良い。
【００６０】
次いで、表示処理部５００は、統計値記憶装置４００から表示すべき統計値のデータを読み出す（Ｓ５０３）。このデータ読み出しは、新しく更新されたデータのみを読み出す等、読み出し時間を短縮するための工夫を適宜行ってよい。
【００６１】
そして、読み出した統計値を画面に描画するための表示データを作成して出力する（Ｓ５０４）。
【００６２】
図６は、基本的な表示方法の一つの具体例である。統計処理区間（時間）毎にラウドネス値のレベルごとの頻度を棒グラフで表示している。画面で左側から第１の統計処理区間（表示ブロックｊ＝１）、第２の統計処理区間（表示ブロックｊ＝２）、第３の統計処理区間（表示ブロックｊ＝３）、・・・の順で配置されており、横方向で時間の経過が把握できる。新たな統計処理区間の処理が行われると表示が追加される。表示の追加は、１つの統計処理区間Ｔｓの統計処理が全て完了してから表示することも、また、途中経過を順次（例えば、最小統計区間の処理が終了するごとに）データ更新するように表示することもできる。なお、頻度の表示方法はこのような棒グラフに限らず、表示色の濃淡で示す等、ラウドネス値の分布が把握できる任意の表示方法であってよい。
【００６３】
図７は、統計値を画面上に複数種類表示する具体例である。図７（ａ）、（ｂ）は、それぞれ、平均ラウドネス値とラウドネス値の分布を示している。図６と同様に、画面で左側から各統計処理区間（表示ブロック）のデータを順に配列しており、横方向で時間の経過が把握できる。
【００６４】
図７（ａ）の縦方向の棒状の表示６０１は、各統計処理区間における瞬時ラウドネス値の頻度（存在確率）を色の濃淡や輝度で表示した例である。この他、頻度を色彩で区別して表示してもよい。図７（ａ）における横方向に伸びるライン６０２は３秒間毎の平均ラウドネス値（Shortterm値）であり、時々刻々と変化する短時間の平均ラウドネス値を表示する。本実施例では、勧告ITU-R BS.1770に従い、時間間隔を瞬時ラウドネス値より長い３秒毎としたが、平均する時間間隔はこの限りではない。また、丸を折れ線で結んだグラフ６０３は統計処理区間Ｔｓ毎の平均ラウドネス値の変化を表示している。グラフの視認性を高めるため、縦方向の棒状の頻度の表示は例えば青で、３秒間毎の平均ラウドネス値の表示は赤で、平均ラウドネス値の折れ線グラフは緑で表示するなど、それぞれ表示色を異ならせても良い。
【００６５】
図７（ｂ）では、瞬時ラウドネス値の分布に関して、縦方向の黒い枠線６０４で第１、第３四分位数を囲い、枠内の太線６０５で中央値（第２四分位数）を表示している。この枠内の太線を折れ線で結んだグラフは統計処理区間Ｔｓ毎の平均ラウドネス値の変化を表示している。図７（ｂ）における横方向に伸びるライン６０２は、３秒間毎の平均ラウドネス値（Shortterm値）を示しており、時々刻々更新して表示する。なお、図７（ａ）と同様に、縦方向の長方形の囲いの表示は例えば黒で、中央の第２四分位数の線と折れ線グラフは緑で、３秒間毎の平均ラウドネス値の表示は赤で表示するなど、それぞれ表示色を異ならせても良い。ここでは、頻度（存在確率）や四分位数を統計値として示したが、標準偏差や最大値、最小値、最頻度値などの統計値を表示してもよい。
【００６６】
図８に、音量監視装置１０の基本的な表示方法の全体のフローチャートの例を示す。
【００６７】
最初に、表示条件の設定を行う（Ｓ１１）。ここでは、表示項目や表示形式の選択に加えて、統計処理区間Ｔｓ及び表示ブロック幅Ｗｊを設定する。統計処理区間Ｔｓは、一定時間を選択することもできるが、事前に入力された番組尺から一定の割合で分割するように統計処理区間Ｔｓを算出することも可能である。また、後述の統計処理区間自動変更モードを選択してもよい。表示ブロック幅Ｗｊは、画面の表示幅を表示ブロック数で割り、均等に表示できるような幅を設定することが望ましい。なお、表示ブロック幅Ｗｊについても、後に条件により自動変更されるように設計しても良い。
【００６８】
そして、測定を開始する。測定開始と同時に、各パラメータ（ｋ，ｂ，ｊ等）が初期設定される（Ｓ１２）。
【００６９】
次いで、ラウドネス処理（Ｓ１３）を行う。この処理は、瞬間ラウドネス値Ｌｔを算出し、最小統計区間毎に瞬時ラウドネス記憶装置２００に保存する処理であり、図２で説明したラウドネス処理部１００のフローチャートの処理Ｓ１０２〜Ｓ１０６に相当する。
【００７０】
ラウドネス処理後に、ラウドネス処理部のカウンタｋが最小統計区間（ｋMAX）に達したかを判断し（Ｓ１４）、最小統計区間に達した場合はｋ＝０，ｂ＝ｂ＋１として（Ｓ１５）、さらに統計処理（Ｓ１６）に進み、最小統計区間（ｋMAX）に達していない場合はラウドネス処理（Ｓ１３）に戻る。このステップＳ１４，Ｓ１５は、それぞれ、図２で説明したラウドネス処理部１００のフローチャートの処理Ｓ１０７，Ｓ１０８に相当する。
【００７１】
統計処理（Ｓ１６）は、瞬時ラウドネス値記憶装置２００を参照して統計値を算出し、統計値記憶装置４００に保存する処理であり、図４で説明した統計処理部３００のフローチャートの処理Ｓ３０１〜Ｓ３０５に相当する。
【００７２】
統計処理後に、測定ブロック数ｂが統計処理区間Ｔｓの最大値ｂMAXに達したのかを判断し（Ｓ１７）、最大値ｂMAXに達した場合はｂ＝０，ｊ＝ｊ＋１として（Ｓ１８）、さらに表示処理（Ｓ１９）に進み、最大値ｂMAXに達していない場合は再びラウドネス処理（Ｓ１３）に戻る。このステップＳ１７，Ｓ１８は、それぞれ、図４で説明した統計処理部３００のフローチャートの処理Ｓ３０６，Ｓ３０７に相当する。
【００７３】
次に、表示処理（Ｓ１９）は、表示データを作成する。この処理は、図５で説明した表示処理部５００のフローチャートの処理Ｓ５０１〜Ｓ５０４に相当する。なお、表示データを表示装置に入力することにより、表示画面の更新がなされる。
【００７４】
最後に、入力信号が終了（番組が終了）したかの判断を行い（Ｓ２０）、終了すれば処理を停止し、終了していなければ、ラウドネス処理（Ｓ１３）に戻って、動作を繰り返す。この終了判断（Ｓ２０）は、入力信号の無音状態の経過時間で判断することも一つの手法であるが、予め設定された時間又は番組尺に基づいて判断したり、外部からの終了釦の信号に基づいて終了判断を行う等、適宜設計することが可能である。
【００７５】
上記の実施の形態は代表的な例として説明したが、本発明の範囲内で多くのバリエーションが考えられる。
【００７６】
図９は画面の表示方法について、番組中の全体のラウドネス統計値の変化を把握し易くするための、幾つかのバリエーションのイメージ図である。以下にそれぞれの表示方法について説明する。なお、図９において、１つの棒状の領域が、ある統計処理区間の統計値を表示する１つの表示ブロックであり、数字は表示ブロック番号（すなわち、統計処理区間の順番）を示す。また、濃い色の領域は、確定した統計値を示しており、白色の領域は、順次更新中の統計値を表示していることを意味する。
【００７７】
図９（ａ）は、表示ブロック幅を経過時間（表示ブロック数）に応じて変更する方法である。
【００７８】
画面全体に、測定開始時から現在の統計処理区間までを表示し、統計処理区間は一定で表示ブロック幅を経過時間（すなわち、表示ブロック数の増加）に応じて、次第に狭くするように変更する。図９（ａ）では、表示画面全体を表示すべきブロック数で等分割して、表示ブロック幅を設定している。
【００７９】
図９（ｂ）は、表示ブロック幅を、画面表示するブロック数に応じて段階的に変更する方法である。
【００８０】
測定開始時から一定の表示ブロック幅で表示をし、画面のある一定の所まで表示した場合（例えば、表示画面の端まで統計値が表示された場合）に、１段階表示ブロック幅を狭くする。さらに、表示ブロックが増加して再び画面のある一定の所まで表示した場合には、もう１段階表示ブロック幅を狭くしてもよい。この画面のある一定の所まで表示したか否かは、測定開始からの経過時間に基づいて判断しても良い。
【００８１】
図９（ｃ）は、表示ブロック幅を部分的に変更する方法である。
【００８２】
表示画面において、統計処理区間は一定で、表示ブロック幅が異なる複数のブロックを表示する。例えば、統計データを表示してから一定の時間がたつと、その表示ブロックの幅を狭くし、最近の統計データ（例えば、最近の３つの表示ブロック）が、常に広い幅で視認性良く見られるようにする。
【００８３】
図９（ｄ）は、装置の操作者によって、統計表示区間と表示を変更する方法である。
【００８４】
表示画面において、統計処理区間をさらに細かい時間帯で見たい場合に、画面をタッチ操作または釦を操作することで、指定した統計処理区間（図ではブロック３）について、さらに細分化した期間の統計値を表示する。
【００８５】
図９の例では、測定開始から最新の統計表示区間まで、全ての統計表示区間毎の瞬時ラウドネス値の統計値を提示することを前提として説明したが、音の大きさ（ラウドネス）の時間推移を把握するには、必ずしも全ての統計表示区間毎の統計値を表示することが必須ではなく、目的に応じて、必要な数の統計表示区間の統計値を表示すれば良い。本発明の音量監視装置を利用して、初期の統計表示区間の統計値と最近の統計表示区間の統計値を並べて比較することも、一定間隔で統計表示区間を選択して統計値を表示することもできる。音の大きさ（ラウドネス）の時間推移を把握するための任意の表示方法が可能である。
【００８６】
また、図９の例では、統計表示区間毎の瞬時ラウドネス値の統計値を提示したが、３秒間の平均ラウドネス値であるshortterm値、測定時間全体の平均値である平均ラウドネス値を、さらに画面上に表示してもよい。
【００８７】
次に、統計処理区間Ｔｓの変更について説明する。図９では、統計処理区間Ｔｓを固定して統計処理し、表示ブロック幅Ｗｊを適宜調整して表示する方法を示したが、統計処理区間Ｔｓを変更することで、表示を変化させることが可能である。例えば、統計処理区間Ｔｓを２倍にすれば、同じ測定時間で画面上に表示される表示ブロックの数が半減する。これにより、同じ表示画面に長時間の測定時間における統計値を表示することができる。
【００８８】
統計処理区間Ｔｓは、例えば、測定途中に音量監視装置を操作することで、変更することが可能である。瞬時ラウドネス記憶装置２００には最小統計区間単位で瞬時ラウドネス値Ｌｔのデータ（例えば、ラウドネス分布）が保存されているので、統計処理部３００に新しい統計処理区間Ｔｓを渡すことによって、統計処理部３００は瞬時ラウドネス記憶装置２００の最小統計区間単位のデータを参照し、異なる統計処理区間（時間幅）で統計値を再計算することができる。
【００８９】
また、統計処理区間Ｔｓを自動で変更する事も可能である。統計処理区間自動変更モードについて説明する。統計処理区間自動変更モードには、例えば、表示画面に合わせて統計処理区間Ｔｓを自動で変更するタイプＡと、経過時間に合わせて自動で統計処理区間Ｔｓを変更するタイプＢが考えられる。ただし、統計処理区間を自動変更する手順はこれに限らない。
【００９０】
タイプＡでは、表示画面において、表示部分の端まで統計値が表示された場合、統計処理区間Ｔｓの値を１段階広げて新たな統計処理区間Ｔｓ’を自動的に設定し、統計処理部３００と表示処理部５００に渡し、新たな統計処理区間Ｔｓ’ごとの統計値を再計算し、再描画する。さらに、経過時間と表示ブロック幅Ｗｊに基づいて表示画面の状態（表示ブロックの画面占有率）を認識できるように設計し、経過時間と表示ブロック幅Ｗｊに応じて統計処理区間Ｔｓを変化させるようにしても良い。
【００９１】
タイプＢでは、測定時間と統計処理区間Ｔｓの対応表を予め作成し、測定時間がある程度経過し、対応表の経過時間の分類が１段階過ぎた際に、統計処理区間Ｔｓも合わせて１段階広げる処理を行う。新たな統計処理区間Ｔｓ’を自動的に設定し、統計処理部３００と表示処理部５００に渡し、新たな統計処理区間Ｔｓ’ごとの統計値を再計算し、再描画する。
【００９２】
なお、上述した音量監視装置１０として機能させるためにコンピュータを好適に用いることができ、そのようなコンピュータは、音量監視装置１０の各機能を実現する処理内容を記述したプログラムを該コンピュータの記憶部に格納しておき、該コンピュータのＣＰＵによってこのプログラムを読み出して実行させることで実現することができる。なお、このプログラムは、コンピュータ読取り可能な記録媒体に記録可能である。
【００９３】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、各ブロック、各ステップ等に含まれる機能等は論理的に矛盾しないように再配置可能であり、複数の構成ブロックやステップ等を１つに組み合わせたり、或いは分割したりすることが可能である。
【符号の説明】
【００９４】
１０    音量監視装置
１１    入力信号
１２    統計処理区間
１３    表示ブロック幅
２０    表示信号
１００  ラウドネス処理部
２００  瞬時ラウドネス記憶装置
３００  統計処理部
４００  統計値記憶装置
５００  表示処理部
６００  表示装置
【図１】
2016109620.tif 000004
【図２】
2016109620.tif 000005
【図３】
2016109620.tif 000006
【図４】
2016109620.tif 000007
【図５】
2016109620.tif 000008
【図６】
2016109620.tif 000009
【図８】
2016109620.tif 000010
【図９】
2016109620.tif 000011
【図７】
2016109620.tif 000012